(57)【要約】【課題】子供の写真に相応しい画像を簡単に撮影することができる撮影装置を提供する。【解決手段】  撮影モード切替スイッチ２２にて子供撮影モードを選択すると、撮影ボタン２４の半押しでスピーカ３５から母体音が出力される。これにより、子供の注意がカメラ側に向けられる。母体音の出力は、撮影ボタン２４を全押しで停止し、これと同時に画像が記録される。画像は標準よりも軟調になるように処理されるとともに、シャープネスが標準よりも弱くなるように処理される。これにより、面倒な設定を行なわずに、子供の写真に相応しい画像を簡単に撮影することができる。【選択図】      図１
2005094133.tif 000002
【特許請求の範囲】
【請求項１】
半押しと全押しとからなる二段ストローク式の撮影ボタンと、絞りを備えた撮影光学系と、該撮影光学系によって結像された被写体像を画像信号に変換する撮像手段と、該撮像手段から得られる画像信号に所定の信号処理を施す画像信号処理手段と、該画像信号処理手段で処理された画像信号を記録メディアに記録する記録手段とを備え、前記撮影ボタンの半押しで前記撮影光学系の合焦位置が主要被写体に合わせられるとともに、前記撮影ボタンの全押しで前記撮像手段から得られる画像信号が前記画像信号処理手段で所定の信号処理を施されて前記記録メディアに記録される撮影装置において、
子供撮影モードに設定するモード設定手段と、
所定の音声を出力する音声出力手段と、
前記子供撮影モード時に前記撮影ボタンの半押しに応動して前記音声出力手段から所定の音声を出力させるとともに、前記撮影ボタンの全押しに応動して前記音声出力手段から音声の出力を停止させる音声出力制御手段と、
前記子供撮影モード時に撮影画像の階調が標準よりも軟調になるように前記画像信号処理手段に画像信号を処理させるとともに、撮影画像のシャープネスが標準よりも弱くなるように前記画像信号処理手段に画像信号を処理させる画像処理制御手段と、
を備えたことを特徴とする撮影装置。
【請求項２】
モニタと、
前記画像信号処理手段で信号処理された画像信号から生成される画像を前記モニタに表示させる画像表示手段と、
前記子供撮影モード時に被写体の顔を収めるべき範囲を示すターゲット枠を前記モニタに表示される画像に重ねて表示させるターゲット枠表示手段と、
前記子供撮影モード時に前記ターゲット枠内に表示される画像の肌色部分を検出する肌色検出手段と、
前記子供撮影モード時に前記肌色検出手段で検出された肌色部分の明るさが、あらかじめ設定された明るさになるように、前記絞りの絞り値及び前記撮像手段の露光時間を制御する露出制御手段と、
を備えたことを特徴とする請求項１に記載の撮影装置。
【請求項３】
前記露出制御手段は、前記子供撮影モード時に前記絞りの絞り値が最小になるように前記絞りを制御することを特徴とする請求項２に記載の撮影装置。
【請求項４】
前記画像処理制御手段は、前記子供撮影モード時に前記肌色検出手段で検出された肌色部分の色相、彩度、明るさが、あらかじめ設定された色相、彩度、明るさとなるように前記画像信号処理手段を制御することを特徴とする請求項２又は３に記載の撮影装置。
【請求項５】
撮影信号を発生させる撮影ボタンと、撮影光学系と、該撮影光学系によって結像された被写体像を画像信号に変換する撮像手段と、該撮像手段から得られる画像信号に所定の信号処理を施す画像信号処理手段と、該画像信号処理手段で処理された画像信号を記録する記録手段とを備え、前記撮影ボタンから発せられる撮影信号に応動して、前記撮像手段から得られる画像信号が前記画像信号処理手段で所定の信号処理を施されて前記記録メディアに記録される撮影装置において、
子供撮影モードに設定するモード設定手段と、
モニタと、
前記画像信号処理手段で信号処理された画像信号から生成される画像を前記モニタに表示させる画像表示手段と、
前記子供撮影モード時に被写体の顔を収めるべき範囲を示すターゲット枠を前記モニタに表示される画像に重ねて表示させるターゲット枠表示手段と、
前記子供撮影モード時に前記ターゲット枠内に表示される画像の白色部分を検出する白色検出手段と、
前記子供撮影モード時に前記白色検出手段で白色部分が検出されると、撮影信号を発生させる撮影信号発生手段と、
を備えたことを特徴とする撮影装置。
【請求項６】
前記子供撮影モード時に前記撮影信号発生手段から発せられる撮影信号に応動して、前記撮像手段から前記画像信号処理手段を介して取得される画像信号を一定の間隔で所定数蓄積する画像蓄積手段と、
前記子供撮影モード時に前記画像蓄積手段に蓄積された画像信号から生成される画像を前記モニタに再生表示させる再生表示手段と、
前記子供撮影モード時に前記モニタに表示された画像の中から前記記録メディアに記録する画像を選択する選択手段と、
前記選択手段で選択された画像の画像信号を前記画像蓄積手段から前記記録メディアに記録させるように前記記録手段を制御する記録制御手段と、
を備えたことを特徴とする請求項５に記載の撮影装置。
【発明の詳細な説明】
【技術分野】
【０００１】
本発明は撮影装置に係り、特に子供（特に赤ちゃん）撮影に適した機能を備えた撮影装置に関する。
【背景技術】
【０００２】
子供は周囲に気が散りやすく、じっとしていないため、写真撮影をしようとしても、なかなか上手く撮れないのが現状である。このため、子供を撮影する場合は、玩具などで子供の注意を引き付けながら撮影するなどの工夫が行なわれている。
【０００３】
しかし、玩具で子供の気を引きながら撮影する方法では、撮影に集中できないだけでなく、片手での撮影になるため、手振れが生じやすいという欠点がある。
【０００４】
そこで、特許文献１には、カメラ本体に表示部とスピーカを設け、その表示部にキャラクタや写真、ビデオ映像等を映し出すとともに、スピーカから音声を送出することにより、子供の注意を引きながら撮影できるカメラが提案されている。
【特許文献１】特開平９−２４４１３６号公報
【発明の開示】
【発明が解決しようとする課題】
【０００５】
しかしながら、特許文献１のカメラは、単に子供の注意を引きつけて撮影できるだけであり、必ずしも子供の写真に相応しい画像が撮影できるわけではないという欠点がある。すなわち、撮影条件の設定等は撮影者が自ら行なわなければならず、誰もが簡単に子供の写真を上手く撮れるわけではないという欠点がある。また、シャッタを切るタイミングも撮影者に委ねられているため、笑った瞬間などの決定的なシャッタチャンスを撮り逃すおそれもある。
【０００６】
本発明は、このような事情に鑑みてなされたもので、子供の写真に相応しい画像を簡単に撮影することができる撮影装置を提供することを目的とする。
【課題を解決するための手段】
【０００７】
請求項１に係る発明は、前記目的を達成するために、半押しと全押しとからなる二段ストローク式の撮影ボタンと、絞りを備えた撮影光学系と、該撮影光学系によって結像された被写体像を画像信号に変換する撮像手段と、該撮像手段から得られる画像信号に所定の信号処理を施す画像信号処理手段と、該画像信号処理手段で処理された画像信号を記録メディアに記録する記録手段とを備え、前記撮影ボタンの半押しで前記撮影光学系の合焦位置が主要被写体に合わせられるとともに、前記撮影ボタンの全押しで前記撮像手段から得られる画像信号が前記画像信号処理手段で所定の信号処理を施されて前記記録メディアに記録される撮影装置において、子供撮影モードに設定するモード設定手段と、所定の音声を出力する音声出力手段と、前記子供撮影モード時に前記撮影ボタンの半押しに応動して前記音声出力手段から所定の音声を出力させるとともに、前記撮影ボタンの全押しに応動して前記音声出力手段から音声の出力を停止させる音声出力制御手段と、前記子供撮影モード時に撮影画像の階調が標準よりも軟調になるように前記画像信号処理手段に画像信号を処理させるとともに、撮影画像のシャープネスが標準よりも弱くなるように前記画像信号処理手段に画像信号を処理させる画像処理制御手段と、を備えたことを特徴とする撮影装置を提供する。
【０００８】
本発明によればモード設定手段にて子供撮影モードに設定し、撮影ボタンを半押しすると、音声出力手段から所定の音声が出力される。これにより、子供の注意が撮影装置の方に引き付けられる。この注意を引き付けた状態で撮影ボタンを全押しすると、撮影が行なわれ、これと同時に音声出力手段から音声の出力が停止される。撮影された画像は、標準よりも軟調になるように処理されるとともに、シャープネスが標準よりも弱くなるように処理される。これにより、面倒な設定を行なわずに、子供の写真に相応しい画像を簡単に撮影することができる。
【０００９】
また、請求項２に係る発明は、前記目的を達成するために、モニタと、前記画像信号処理手段で信号処理された画像信号から生成される画像を前記モニタに表示させる画像表示手段と、前記子供撮影モード時に被写体の顔を収めるべき範囲を示すターゲット枠を前記モニタに表示される画像に重ねて表示させるターゲット枠表示手段と、前記子供撮影モード時に前記ターゲット枠内に表示される画像の肌色部分を検出する肌色検出手段と、前記子供撮影モード時に前記肌色検出手段で検出された肌色部分の明るさが、あらかじめ設定された明るさになるように、前記絞りの絞り値及び前記撮像手段の露光時間を制御する露出制御手段と、を備えたことを特徴とする請求項１に記載の撮影装置を提供する。
【００１０】
本発明によれば、子供撮影モードに設定すると、スルー画像を表示するモニタにターゲット枠が表示される。このターゲット枠に被写体の顔を収めると、枠内の肌色部分が肌色検出手段により検出され、その検出された肌色の明るさが一定の明るさになるように、露出が制御される。これにより、面倒な設定を行なわなくても、子供の写真に相応しい画像を簡単に撮影することができる。
【００１１】
また、請求項３に係る発明は、前記目的を達成するために、前記露出制御手段は、前記子供撮影モード時に前記絞りの絞り値が最小になるように前記絞りを制御することを特徴とする請求項２に記載の撮影装置を提供する。
【００１２】
本発明によれば、子供撮影モード時に絞り値を最小にして露出制御が行なわれる。これにより、面倒な設定を行なわなくても、主要被写体を浮き立たせ、背景をぼかした画像を簡単に撮影することができる。
【００１３】
また、請求項４に係る発明は、前記目的を達成するために、前記画像処理制御手段は、前記子供撮影モード時に前記肌色検出手段で検出された肌色部分の色相、彩度、明るさが、あらかじめ設定された色相、彩度、明るさとなるように前記画像信号処理手段を制御することを特徴とする請求項２又は３に記載の撮影装置を提供する。
【００１４】
本発明によれば、子供撮影モードで撮影すると、肌色検出手段で検出された肌色部分の色相、彩度、明るさが、あらかじめ設定された色相、彩度、明るさとなるように、撮影した画像が処理される。これにより、面倒な設定を行なわなくても、子供の写真に相応しい画像を簡単に撮影することができる。
【００１５】
また、請求項５に係る発明は、前記目的を達成するために、撮影信号を発生させる撮影ボタンと、撮影光学系と、該撮影光学系によって結像された被写体像を画像信号に変換する撮像手段と、該撮像手段から得られる画像信号に所定の信号処理を施す画像信号処理手段と、該画像信号処理手段で処理された画像信号を記録する記録手段とを備え、前記撮影ボタンから発せられる撮影信号に応動して、前記撮像手段から得られる画像信号が前記画像信号処理手段で所定の信号処理を施されて前記記録メディアに記録される撮影装置において、子供撮影モードに設定するモード設定手段と、モニタと、前記画像信号処理手段で信号処理された画像信号から生成される画像を前記モニタに表示させる画像表示手段と、前記子供撮影モード時に被写体の顔を収めるべき範囲を示すターゲット枠を前記モニタに表示される画像に重ねて表示させるターゲット枠表示手段と、前記子供撮影モード時に前記ターゲット枠内に表示される画像の白色部分を検出する白色検出手段と、前記子供撮影モード時に前記白色検出手段で白色部分が検出されると、撮影信号を発生させる撮影信号発生手段と、を備えたことを特徴とする撮影装置を提供する。
【００１６】
本発明によれば、子供撮影モードに設定すると、スルー画像を表示するモニタにターゲット枠が表示される。このターゲット枠に被写体の顔を収めると、枠内の白色部分が白色検出手段により検出され、この白色検出手段で枠内の白色部分、すなわち歯が検出されると、撮影が実行される。これにより、子供が笑った瞬間を逃すことなく撮影することができる。
【００１７】
また、請求項６に係る発明は、前記目的を達成するために、前記子供撮影モード時に前記撮影信号発生手段から発せられる撮影信号に応動して、前記撮像手段から前記画像信号処理手段を介して取得される画像信号を一定の間隔で所定数蓄積する画像蓄積手段と、前記子供撮影モード時に前記画像蓄積手段に蓄積された画像信号から生成される画像を前記モニタに再生表示させる再生表示手段と、前記子供撮影モード時に前記モニタに表示された画像の中から前記記録メディアに記録する画像を選択する選択手段と、前記選択手段で選択された画像の画像信号を前記画像蓄積手段から前記記録メディアに記録させるように前記記録手段を制御する記録制御手段と、を備えたことを特徴とする請求項５に記載の撮影装置を提供する。
【００１８】
本発明によれば、笑った瞬間の画像が複数枚連続して撮影され、撮影された画像がモニタに表示される。そして、選択手段で選択された画像のみが記録メディアに記録される。このように、笑った瞬間の画像を複数枚連続して撮影することにより、撮影ミスを減らせることができるとともに、気に入った画像のみを記録することができるので、記録メディアを効率よく使うことができる。
【発明の効果】
【００１９】
本発明によれば、子供撮影モードに設定することにより、子供の写真に相応しい画像を簡単に撮影することができる。
【発明を実施するための最良の形態】
【００２０】
以下、添付図面に従って本発明に係る撮影装置を実施するための最良の形態について詳説する。
【００２１】
図１は本発明が適用されたデジタルカメラの構成を示すブロック図である。このデジタルカメラ１０は、静止画の撮影及び再生機能を備えており、全体の動作を中央処理装置（ＣＰＵ）１２によって統括制御されている。 ＣＰＵ１２は、所定のプログラムに従って本カメラシステムを制御する制御手段として機能するとともに、自動露出（ＡＥ）演算、自動焦点調節（ＡＦ）演算、ホワイトバランス（ＷＢ）調整演算などの各種演算を実施する演算手段として機能する。バス１４を介してＣＰＵ１２と接続されたＲＯＭ１６には、ＣＰＵ１２が実行するプログラム及び制御に必要な各種データ等が格納されており、ＥＥＰＲＯＭ１７には、ＣＣＤ画素欠陥情報、カメラ動作に関する各種定数／情報、及び本発明に係る撮影条件に応じた画像処理条件等が格納されている。また、メモリ（ＳＤＲＡＭ）１８は、プログラムの展開領域及びＣＰＵ１２の演算作業用領域として利用されるとともに、画像データの一時記憶領域として利用される。ＶＲＡＭ２０は、画像データ専用の一時記憶メモリであり、Ａ領域とＢ領域が含まれている。
【００２２】
デジタルカメラ１０には、撮影／再生モード切替スイッチ２１、撮影モード切替スイッチ２２、撮影ボタン２４、その他、電源スイッチ、メニュ／ＯＫキー、十字キー、キャンセルキーなどの操作手段２６が設けられている。これら各種操作部（２２〜２６）からの信号はＣＰＵ１２に入力され、ＣＰＵ１２は入力信号に基づいて各回路を制御し、レンズ駆動制御、撮影動作制御、画像処理制御、画像データの記録／再生制御、モニタ２８の表示制御などを行う。
【００２３】
撮影／再生モード切替スイッチ２１は、カメラのモードを「撮影モード」又は「再生モード」に切り換えるための操作手段であり、撮影モード切替スイッチ２２は、撮影モードを「オート撮影モード」又は「子供撮影モード」に切り替えるための操作手段である。
【００２４】
撮影ボタン２４は、撮影開始の指示を入力する操作ボタンであり、半押し時にＯＮするＳ１スイッチと、全押し時にＯＮするＳ２スイッチとを有する二段ストローク式のスイッチで構成されている。
【００２５】
メニュ／ＯＫキーは、モニタ２８の画面上にメニュ画面の表示を指令するメニュボタンとしての機能と、選択内容の確定及び実行などを指令するＯＫボタンとしての機能とを兼備した操作キーである。
【００２６】
十字キーは、上下左右の４方向の指示を入力する操作部であり、メニュ画面から項目を選択したり、各メニュから各種設定項目の選択を指示したりするボタンとして機能する。また、十字キーの上／下キーは撮影時のズームスイッチあるいは再生時の再生ズームスイッチとして機能し、左／右キーは再生モード時のコマ送り（順方向／逆方向送り）ボタンとして機能する。
【００２７】
キャンセルキーは、選択項目など所望の対象の消去や指示内容の取消し、あるいは１つ前の操作状態に戻らせる時などに使用される。
【００２８】
モニタ２８は、カラー表示可能な液晶ディスプレイで構成されている。モニタ２８は、記録済み画像を再生表示する手段として利用されるとともに、撮影時には画角確認用の電子ファインダとしても使用される。また、モニタ２８は、ユーザインターフェース用表示画面としても利用され、必要に応じてメニュ情報や選択項目、設定内容などの情報が表示される。
【００２９】
デジタルカメラ１０は、メディアソケット３０を有し、メディアソケット３０には記録メディア３２が着脱自在に装着される。記録メディアの形態は特に限定されず、xD-PictureCard（商標）、スマートメディア（商標）に代表される半導体メモリカード、可搬型小型ハードディスク、磁気ディスク、光ディスク、光磁気ディスクなど、種々の媒体を用いることができる。メディアコントローラ３４は、メディアソケット３０に装着される記録メディア３２に適した入出力信号の受渡しを行うために所要の信号変換を行う。
【００３０】
また、デジタルカメラ１０は、スピーカ３５とマイク３６を備えている。音声処理回路３７は、ＣＰＵ１２からのコマンドに従って音声信号を処理又は変換し、スピーカ３５への出力音声信号の生成処理、マイク３６からの入力音声信号の符号化処理などを行う。
【００３１】
次に、デジタルカメラ１０の撮影機能について説明する。なお、ここではまず始めに撮影モードを「オート撮影モード」に設定した場合におけるデジタルカメラ１０の撮影機能について説明する。
【００３２】
撮影モード切替スイッチ２２によって「オート撮影モード」が選択され、撮影／再生モード切替スイッチ２１によって「撮影モード」が選択されると、カラーＣＣＤ固体撮像素子（以下ＣＣＤと記載）３８を含む撮像部に電源が供給され、撮影可能な状態になる。
【００３３】
レンズユニット４０は、ズームレンズ、フォーカスレンズ、絞りを含む光学ユニットである。このレンズユニット４０は、ＣＰＵ１２によって制御されるズームレンズ駆動部４２とフォーカスレンズ駆動部４４と絞り駆動部４６とによって電動駆動されて、ズーム制御、フォーカス制御及び絞り制御が行われる。また、ズームレンズとフォーカスレンズの位置が、それぞれフォーカス位置センサ４７とズーム位置センサ４８によって検出され、その検出結果がＣＰＵ１２に出力される。
【００３４】
撮影ボタン２４が半押しされると、デジタルカメラ１０はＡＥ及びＡＦ処理を開始する。すなわち、レンズユニット４０を通過した光は、ＣＣＤ３８の受光面に結像される。ＣＣＤ３８の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ３８は、各フォトダイオードの電荷蓄積時間（シャッタースピード）を制御する電子シャッタ機能を有している。ＣＰＵ１２は、タイミングジェネレータ５０を介してＣＣＤ３８での電荷蓄積時間を制御する。
【００３５】
ＣＣＤ３８の受光面に結像された被写体像は、各フォトダイオードによって入射光量に応じた量の信号電荷に変換される。各フォトダイオードに蓄積された信号電荷は、ＣＰＵ１２の指令に従いタイミングジェネレータ（ＴＧ）５０から与えられる駆動パルスに基づいて信号電荷に応じた電圧信号（画像信号）として順次読み出される。
【００３６】
ＣＣＤ３８から出力された信号はアナログ処理部（ＣＤＳ／ＡＭＰ）５２に送られ、ここで画素ごとのＲ、Ｇ、Ｂ信号がサンプリングホールド（相関二重サンプリング処理）され、増幅された後、Ａ／Ｄ変換器５４に加えられる。そして、Ａ／Ｄ変換器５４によってデジタル信号に変換された点順次のＲ、Ｇ、Ｂ信号が、画像入力コントローラ５６を介してＡＦ検出回路６２並びにＡＥ／ＡＷＢ検出回路６４に入力される。
【００３７】
ＡＥ／ＡＷＢ検出回路６４は、１画面を複数のエリア（たとえば、１６×１６）に分割し、分割エリアごとにＲＧＢ信号を積算する回路を含み、その積算値をＣＰＵ１２に提供する。ＣＰＵ１２は、ＡＥ／ＡＷＢ検出回路６４から得た積算値に基づいて被写体の明るさ（被写体輝度）を検出し、撮影に適した露出値（撮影ＥＶ値）を算出する。求めた露出値と所定のプログラム線図に従って絞り値とシャッタスピード（電荷蓄積時間）が決定され、これに従いＣＰＵ１２は、ＣＣＤ３８の電子シャッタ及び絞り駆動部４６を制御して適正な露光量を得る。
【００３８】
ＡＥ／ＡＷＢ検出回路６４は、ホワイトバランス調整時には、分割エリアごとにＲＧＢ信号の色別の平均積算値を算出し、Ｒの積算値、Ｂの積算値、Ｇの積算値に基づいて被写体の色温度の検出（又は色温度に対応する光源種の判別）を行う。
【００３９】
また、ＣＰＵ１２は、ＡＥ／ＡＷＢ検出回路６４から得た被写体の明るさ及び色温度を示す撮影条件に基づいてＥＥＰＲＯＭ１７から対応する画像処理条件を読み出し、この読み出した画像処理条件を画像信号処理回路５８における処理条件パラメータ値として設定する。
【００４０】
本デジタルカメラ１０におけるＡＦ制御は、たとえば映像信号のＧ信号の高周波成分が極大になるようにフォーカスレンズを移動させるコントラストＡＦが適用される。すなわち、ＡＦ検出回路６２は、Ｇ信号の高周波成分のみを通過させるハイパスフィルタ、絶対値化処理部、画面内（たとえば、画面中央部）にあらかじめ設定されているフォーカス対象エリア（ＡＦエリア）内の信号を切り出すＡＦエリア抽出部、及びＡＦエリア内の絶対値データを積算する積算部から構成される。ＡＦ検出回路６２で求めた積算値のデータはＣＰＵ１２に通知される。ＣＰＵ１２は、フォーカスレンズ駆動部４４を制御してフォーカスレンズを移動させながら、複数のＡＦ検出ポイントで焦点評価値（ＡＦ評価値）を演算し、評価値が極大となるレンズ位置を合焦位置として決定する。そして、求めた合焦位置にフォーカスレンズを移動させるようにフォーカスレンズ駆動部４４を制御する。
【００４１】
撮影ボタン２４が全押しされると、記録用の撮影動作がスタートし、ＣＣＤ３８からアナログ処理部５２、Ａ／Ｄ変換器５４、画像入力コントローラ５６を介して点順次のＲ、Ｇ、Ｂデータ（ＣＣＤ−ＲＡＷデータ）がメモリ１８に入力される。
【００４２】
画像信号処理回路５８は、メモリ１８に記憶されたＣＣＤ−ＲＡＷデータをＣＰＵ１２からのコマンドに従って処理する。すなわち、画像信号処理回路５８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１２からのコマンドに従ってメモリ１８を活用しながら入力画像を処理する。
【００４３】
画像信号処理回路５８で画像処理され、輝度・色差信号生成回路によりＲ、Ｇ、Ｂデータから輝度信号（Ｙ信号）及び色差信号（Ｃr 、Ｃb 信号）に変換されたＹ／Ｃ信号は、メモリ１８に格納される。メモリ１８に格納されたＹ／Ｃ信号は、圧縮伸張処理回路６６によってＪＰＥＧのフォーマットに従って圧縮された後、メディアコントローラ３４を介して記録メディア３２に記録される。
【００４４】
なお、デジタルカメラ１０は、現在日時を計測するためのタイマ６８を備えており、このタイマ６８から得られた日時情報に基づいて撮影日時のデータが画像データと共に画像ファイルに記録される。
【００４５】
撮影画像をモニタ２８に出力する場合は、ＶＲＡＭ２０から画像データが読み出され、バス１４を介してビデオエンコーダ６０に送られる。ビデオエンコーダ６０は、入力されたＹ／Ｃ信号を表示用の所定方式の信号（たとえば、ＮＴＳＣ方式のカラー複合映像信号）に変換してモニタ２８に出力する。すなわち、ＣＣＤ３８から出力される画像信号によって、１コマ分の画像を表す画像データがＶＲＡＭ２０のＡ領域とＢ領域とで交互に書き換えられる。ＶＲＡＭ２０のＡ領域及びＢ領域のうち、画像データが書き換えられている方の領域以外の領域から、書き込まれている画像データが読み出される。このようにしてＶＲＡＭ２０内の画像データが定期的に書き換えられ、その画像データから生成される映像信号がモニタ２８に供給されることにより、撮像中の映像がリアルタイムにモニタ２８に表示される。撮影者は、モニタ２８に表示される映像（スルー画画像）によって撮影画角を確認できる。
【００４６】
撮影／再生モード切替スイッチ２１により「再生モード」が選択されると、記録メディア３２に記録されている最終の画像ファイル（最後に記録されたファイル）の圧縮データが読み出される。この読み出された圧縮データは、圧縮伸張処理回路６６を介して非圧縮のＹ／Ｃ信号に伸張され、画像信号処理回路５８及びビデオエンコーダ６０を介して表示用の信号に変換された後、モニタ２８に出力される。これにより、当該ファイルの画像内容がモニタ２８の画面上に表示される。静止画の一コマ再生中に、十字キーの右キー又は左キーを操作することによって、再生対象のファイルを切り換えることができる（順コマ送り／逆コマ送り）。コマ送りされた位置の画像ファイルが記録メディア３２から読み出され、上記と同様にして静止画がモニタ２８に再生表示される。
【００４７】
なお、デジタルカメラ１０は、モニタ２８上に文字等の情報を表示させるためのＯＳＤ（On Screen Display ）信号発生部７０を備えている。このＯＳＤ信号発生部７０は、キャラクタジェネレータを含み、シャッタ速度や絞り値、撮影可能枚数、撮影日時、警告メッセージ等の文字及び記号情報を表示するための信号を発生することができるとともに、フォーカスフレームや構図決定の目安となるアシスト線などの信号を発生することができる。このＯＳＤ信号発生部７０から出力される信号は、必要に応じて画像信号に混合されてモニタ２８に供給される。これにより、スルー画像や再生画像に文字等が合成された合成画像が表示される。
【００４８】
次に、撮影モードを「子供撮影モード」に設定した場合におけるデジタルカメラ１０の撮影機能について説明する。
【００４９】
上記の「オート撮影モード」では、撮影ボタン２４の半押しでＡＥ及びＡＦ処理が行なわれ、全押しで撮影用の記録処理が行なわれていた。「子供撮影モード」では、さらに撮影ボタン２４の半押しでスピーカ３５から母体音が出力される。この母体音の出力は、撮影ボタン２４の全押しで停止され、これと同時に撮影用の記録処理が行なわれる。この際、画像は、階調が標準（オート撮影時）よりも軟調になるように処理されるとともに、シャープネスが標準（オート撮影時）よりも弱くなるように処理される。
【００５０】
撮影モード切替スイッチ２２によって「子供撮影モード」が選択され、撮影／再生モード切替スイッチ２１によって「撮影モード」が選択されると、「子供撮影モード」の下で撮影が可能な状態になる。
【００５１】
この状態で撮影ボタン２４が半押しされると、デジタルカメラ１０はＡＥ及びＡＦ処理を開始する。すなわち、ＣＰＵ１２は、ＡＥ／ＡＷＢ検出回路６４から得た積算値に基づいて被写体の明るさを検出し、撮影に適した露出値を算出するとともに、求めた露出値と所定のプログラム線図に従って絞り値とシャッタスピードを決定する。また、ＡＦ検出回路６２から得た積算値から焦点評価値を演算し、評価値が極大となるレンズ位置（合焦位置）にフォーカスレンズを移動させる。
【００５２】
また、これと同時にスピーカ３５から母体音を出力させる。すなわち、ＣＰＵ１２は、撮影ボタン２４からＳ１ＯＮ信号を入力すると、ＥＥＰＲＯＭ１７に記録された母体音を表す音楽ファイルを読み出し、音声処理回路３７に加える。音声処理回路３７は、ＣＰＵ１２からのコマンドに従って、その音楽ファイルを音声信号に変換処理し、スピーカ３５から出力させる。これにより、スピーカ３５から母体音が出力される。
【００５３】
母体音は、撮影ボタン２４が半押しされている間、常にスピーカ３５から出力され、このスピーカ２４から出力される母体音によって、被写体である子供の注意をデジタルカメラ側に引き付ける。
【００５４】
撮影ボタン２４が全押しされ、ＣＰＵ１２にＳ２ＯＮ信号が入力されると、ＣＰＵ１２は、音声処理回路３７にコマンドを出力し、母体音の出力を停止させるとともに、画像記録の制御を実行する。すなわち、ＣＣＤ３８からアナログ処理部５２、Ａ／Ｄ変換器５４、画像入力コントローラ５６を介してメモリ１８にＣＣＤ−ＲＡＷデータを取り込み、画像信号処理回路５８にて所定の画像処理条件に従った画像処理を行う。
【００５５】
この際、ＣＰＵ１２は、画像の階調及びシャープネスに対して子供撮影モード用の画像処理条件をＥＥＰＲＯＭ１７から読み出し、この読み出した画像処理条件を画像信号処理回路５８における階調及びシャープネスの処理条件パラメータ値として設定する。この子供撮影用の画像の階調及びシャープネスは、標準よりも階調が軟調に設定され、シャープネスが弱く設定されている。
【００５６】
画像信号処理回路５８で画像処理されたＹ／Ｃ信号は、メモリ１８に一時格納されたのち、圧縮伸張処理回路６６によってＪＰＥＧのフォーマットに従って圧縮され、メディアコントローラ３４を介して記録メディア３２に記録される。
【００５７】
このように、「子供撮影モード」では、撮影ボタン２４の半押しでスピーカ３５から母体音が出力され、全押しで停止される。そして、撮影された画像の階調が、標準よりも軟調になるように処理されるとともに、シャープネスが標準よりも弱くなるように処理される。
【００５８】
そして、このように撮影時にスピーカ３５から母体音を出力することにより、被写体となる子供、特に赤ちゃんの注意をカメラ側に向けて撮影することができ、子供の顔が正面に向かった画像を容易に撮影することができる。
【００５９】
また、撮影した画像の階調を標準よりも軟調に処理するとともに、画像のシャープネスを標準よりも弱く処理することにより、面倒な設定をすることなく、子供の画像として好ましい画像を誰もが簡単に撮影することができる。
【００６０】
なお、上記実施の形態では、絞り値とシャッタスピードの設定方法については、なんら規定していないが、「子供撮影モード」では、露出制御を絞り優先ＡＥとし、絞り値を最小（絞り開放）として、適正露出となるようにシャッタスピードを設定することが好ましい。これにより、面倒な設定をすることなく、誰もが簡単に背景をぼかしたポートレート調の画像を撮影することができる。
【００６１】
次に、撮影モードを「子供撮影モード」に設定した場合におけるデジタルカメラ１０の撮影機能の第２の実施の形態について説明する。
【００６２】
本実施の形態では、撮影モードを「子供撮影モード」に設定すると、モニタ２８にターゲット枠が表示され、このターゲット枠に子供の顔を収めて撮影すると、ターゲット枠内の肌色部分の明るさが、規定の明るさになるように露出が制御される。なお、本実施の形態の場合も前記同様、撮影ボタン２４の半押しでスピーカ３５から母体音が出力され、全押しで停止される。
【００６３】
撮影モード切替スイッチ２２によって「子供撮影モード」が選択され、撮影／再生モード切替スイッチ２１によって「撮影モード」が選択されると、「子供撮影モード」の下で撮影が可能な状態になる。
【００６４】
撮影モードが「子供撮影モード」に設定されると、図２に示すように、モニタ２８にスルー画像が表示されるとともに、そのスルー画像に重ねてターゲット枠Ｆが表示される。ＣＰＵ１２は、このモニタ２８上の所定の位置に所定の大きさのターゲット枠Ｆが表示されるようにＯＳＤ信号発生部７０にコマンドを出力する。
【００６５】
ユーザは、このモニタ上に表示されたターゲット枠Ｆに被写体となる子供の顔が収まるように構図を調整する。そして、構図が決定したところで、撮影ボタン２４を半押しする。
【００６６】
撮影ボタン２４が半押しされると、スピーカ３５から母体音が出力されるとともに、ＡＥ及びＡＦ処理が行なわれる。
【００６７】
この際、ＡＥ処理は、次のように行なわれる。ＣＣＤ３８から出力された信号はＣＤＳ／ＡＭＰ５２、Ａ／Ｄ変換器５４、画像入力コントローラ５６を介してＡＥ／ＡＷＢ検出回路６４及び画像信号処理回路５８に入力される。
【００６８】
画像信号処理回路５８は、入力された画像データからモニタ２８に表示したターゲット枠Ｆに対応するエリアを抽出し、そのエリアから肌色のエリア（肌色エリア）を検出するする。
【００６９】
なお、肌色エリアの検出は、たとえばＹ／Ｃ変換した画像データの中で、７０≦Ｙ≦２００、１８≦Ｃｒ≦３８、−２８≦Ｃｂ≦−８の３条件を満足するエリアを肌色エリアと認定して、検出する。
【００７０】
ＡＥ／ＡＷＢ検出回路６４は、画像信号処理回路５８で検出された肌色エリアのＲＧＢ信号を積算し、その積算値をＣＰＵ１２に提供する。
【００７１】
ＣＰＵ１２は、ＡＥ／ＡＷＢ検出回路６４から得た積算値に基づいて肌色エリアの明るさを検出し、その肌色エリアが規定の明るさになるための露出値を算出する。そして、求めた露出値と所定のプログラム線図に従って絞り値とシャッタスピードを決定する。
【００７２】
また、ＡＦ処理は、ターゲット枠に対応するエリアをＡＦエリアとして処理が行なわれる。
【００７３】
撮影ボタン２４が全押しされると、母体音の出力が停止されるとともに、記録用の撮影動作がスタートし、ＣＣＤ３８からアナログ処理部５２、Ａ／Ｄ変換器５４、画像入力コントローラ５６を介して点順次のＲ、Ｇ、Ｂデータ（ＣＣＤ−ＲＡＷデータ）がメモリ１８に入力される。この際、肌色エリアが規定の明るさになるように定められた絞り値とシャッタスピードで画像が取り込まれ、処理される。
【００７４】
このように、本実施の形態のデジタルカメラでは、撮影モードを「子供撮影モード」に設定すると、撮影ボタン２４の半押しでスピーカ３５から母体音が出力され、全押しで停止されるとともに、モニタ２８に表示されたターゲット枠Ｆの範囲内から肌色部分が検出され、その肌色部分が規定の明るさになるように露出制御される。これにより、面倒な設定をすることなく、子供の画像として好ましい画像を誰もが簡単に撮影することができる。
【００７５】
なお、本例の場合においても、露出制御は絞り優先ＡＥとして、絞り値を最小に設定して、シャッタスピードを設定することが好ましい。これにより、面倒な設定をすることなく、誰もが簡単に背景をぼかしたポートレート調の画像を撮影することができる。
【００７６】
また、本例の場合も、画像処理は、画像の階調が標準よりも軟調になるとともに、画像のシャープネスが標準よりも弱くなるようにすることが好ましい。これにより、上記第１の実施の形態と同様に面倒な設定をすることなく、子供の画像として好ましい画像を誰もが簡単に撮影することができる。
【００７７】
また、画像処理については、更に肌色の補正処理を行なうことが好ましい。すなわち、肌色エリアの色相、彩度、明るさが、あらかじめ設定された色相、彩度、明るさ（子供の肌色として好ましい色相、彩度、明るさ）となるように処理する。この処理は、次のように行なわれる。
【００７８】
撮影ボタン２４が全押しされ、点順次のＲ、Ｇ、Ｂデータが画像信号処理回路５８に加えられると、画像信号処理回路５８は、入力された点順次のＲ、Ｇ、Ｂデータを処理して輝度信号（Ｙ信号）及び色差信号（Ｃr 、Ｃb 信号）に変換する。
【００７９】
そして、変換した輝度信号（Ｙ信号）及び色差信号（Ｃr 、Ｃb 信号）からモニタ２８に表示したターゲット枠Ｆに対応するエリアを抽出し、そのエリアから肌色エリアを検出する。肌色エリアの検出は、上記のように、Ｙ／Ｃ変換したデータの中で７０≦Ｙ≦２００、１８≦Ｃｒ≦３８、−２８≦Ｃｂ≦−８の３条件を満足するエリアを肌色エリアとして検出する。
【００８０】
そして、検出した肌色エリアのヒストグラムを求め、各最頻値のデータを肌色値Ｙa 、Ｃｒa 、Ｃｂa とする。目標肌色値Ｙb 、Ｃｒb 、Ｃｂb をたとえばＹb ＝１５０、Ｃｒb ＝２８、Ｃｂb ＝−１８として、画像の肌色値Ｙa 、Ｃｒa 、Ｃｂa と目標肌色値Ｙb 、Ｃｒb 、Ｃｂb を比較し、画像の肌色値Ｙa 、Ｃｒa 、Ｃｂa が目標肌色値Ｙb 、Ｃｒb 、Ｃｂb に近づくように、各信号について変換テーブル（Ｙ−Ｙ’変換テーブル、Ｃｒ−Ｃｒ’変換テーブル、Ｃｂ−Ｃｂ’変換テーブル）を設定する（たとえば、Ｙ−Ｙ’変換テーブルについて図３参照）。
【００８１】
そして、設定した変換テーブルに基づいて輝度信号（Ｙ信号）及び色差信号（Ｃr 、Ｃb 信号）を補正し、補正した輝度信号（Ｙ’信号）及び色差信号（Ｃr ’、Ｃb ’信号）を圧縮伸張処理回路６６で圧縮し、メディアコントローラ３４を介して記録メディア３２に記録する。
【００８２】
すなわち、図４に示すように、点順次のＲ、Ｇ、ＢデータをＹ／Ｃ変換後、そのＹ／Ｃ変換したデータからターゲット枠内の肌色エリアを検出して、画像の肌色値Ｙa 、Ｃｒa 、Ｃｂa を求め、この画像の肌色値Ｙa 、Ｃｒa 、Ｃｂa が目標肌色値Ｙb 、Ｃｒb 、Ｃｂb に近づくように変換テーブルを設定して、Ｙ／Ｃ変換したデータを補正する。
【００８３】
このように、自動で肌色の補正処理を行なうことにより、面倒な設定を一切行なうことなく、子供の画像として好ましい画像を誰もが簡単に撮影することができる。
【００８４】
なお、この肌色補正処理については、上記第１の実施の形態の「子供撮影モード」の場合も同様に適用することができる。
【００８５】
次に、撮影モードを「子供撮影モード」に設定した場合におけるデジタルカメラ１０の撮影機能の第３の実施の形態について説明する。
【００８６】
本実施の形態では、撮影モードを「子供撮影モード」に設定すると、子供の顔を収めるためのターゲット枠がモニタ２８に表示され、このターゲット枠内で白（歯）が検出されると、シャッタが切られる（記録動作がスタートする）。
【００８７】
撮影モード切替スイッチ２２によって「子供撮影モード」が選択され、撮影／再生モード切替スイッチ２１によって「撮影モード」が選択されると、「子供撮影モード」の下で撮影が可能な状態になる。
【００８８】
撮影モードが「子供撮影モード」に設定されると、図５に示すように、モニタ２８にスルー画像が表示されるとともに、そのスルー画像に重ねてターゲット枠Ｆが表示される。ＣＰＵ１２は、このモニタ２８上の所定の位置に所定の大きさのターゲット枠Ｆが表示されるようにＯＳＤ信号発生部７０にコマンドを出力する。
【００８９】
ユーザは、このモニタ上に表示されたターゲット枠Ｆに被写体となる子供の顔が収まるように構図を調整する。そして、構図が決定したところで、撮影ボタン２４を半押しする。撮影ボタン２４が半押しされると、スピーカ３５から母体音が出力され、ＡＥ及びＡＦ処理が行なわれる。また、ターゲット枠Ｆ内で肌色エリアから顔の輪郭が抽出され、その抽出した顔の輪郭内で白、すなわち、歯が検出される。
【００９０】
白（歯）が検出されると、母体音の出力が停止されるとともに、記録用の撮影動作がスタートし、ＣＣＤ３８からアナログ処理部５２、Ａ／Ｄ変換器５４、画像入力コントローラ５６を介してＣＣＤ−ＲＡＷデータがメモリ１８に入力される。そして、画像信号処理回路５８で所定の信号処理が施された後、圧縮伸張処理回路６６で圧縮され、メディアコントローラ３４を介して記録メディア３２に記録される。
【００９１】
このように、本実施の形態の「子供撮影モード」では、被写体の歯を検出して、自動でシャッタが切られる。これにより、子供が笑った瞬間を逃さず確実に撮影することができる。
【００９２】
なお、本実施の形態では、記録枚数を１枚（１画像）としているが、一度に複数枚の画像を一定の間隔で記録するようにしてもよい（いわゆる、連写）。すなわち、撮影ボタン２４の半押しから、ターゲット枠Ｆ内の白（歯）が検出されると、一定の間隔で複数枚（たとえば、０. ２秒間隔で５枚）の画像が取り込まれ、所要の信号処理を施されて、記録メディア３２に記録されるように構成する。このように、画像を連写することにより、撮影の失敗を最小限に抑えることができる。
【００９３】
この場合、図６に示すように、撮影後、撮影した画像をモニタ２８に表示し、記録を要する画像を撮影者に選択させ、選択された画像のみを記録メディア３２に記録するようにしてもよい。
【００９４】
このように、撮影画像をモニタ２８に表示し、選択された画像のみ記録メディア３２に記録する場合には、撮影したＹ／Ｃ変換後の画像データを一旦メモリ１８に格納し、これをビデオエンコーダ６０を介してモニタ２８に出力する。そして、選択された画像のみ圧縮伸張処理回路６６で圧縮し、記録メディア３２に記録する。
【００９５】
画像選択は、たとえば図６（ａ）に示すように、撮影後、撮影画像をモニタ２８に一覧表示し、その一覧表示された画像の中から記録を要する画像を選択フレームＳで選択させるものとする。選択フレームＳは、十字キーで移動させるものとし、メニュ／ＯＫキーで選択を確定する。画像が選択されると、図６（ｂ）に示すように、その選択された画像が拡大表示されるとともに、記録の要否を問うメッセージ（「この画像を記録しますか？」）がモニタ２８に表示される。撮影者は、このメッセージに応じて十字キーで「ＹＥＳ」又は「ＮＯ」を選択し、メニュ／ＯＫキーを押す。ここで、「ＹＥＳ」が選択されると、選択した画像が記録メディア３２に記録され、「ＮＯ」が押されると、選択した画像が消去される。画像記録又は消去後、モニタ２８には再び撮影画像の一覧（記録又は消去済み画像を除く）が表示され、記録用の画像の選択が行なわれる。
【００９６】
このように、連写した画像を選択して記録することにより、記録メディア３２の無駄な消費を抑えることができ、記録メディア３２を効率よく利用することができる。
【００９７】
なお、本実施の形態の場合においても、上述した実施の形態のように、撮影した画像に対して階調が標準よりも軟調になるように自動で処理するとともに、シャープネスが標準よりも弱くなるように自動で処理することが好ましい。
【００９８】
また、露出制御を絞り優先ＡＥとし、絞り値を最小（絞り開放）として、適正露出となるようにシャッタスピードを設定することが好ましい。
【００９９】
さらに、ターゲット枠内の肌色部分の明るさが、規定の明るさになるように露出を制御するとともに、肌色の補正処理を行なうことが好ましい。
【０１００】
また、上述した一連の実施の形態では、ターゲット枠Ｆを固定とし、所定位置に表示するようにしているが、ターゲット枠を任意の位置に移動させることができるようにしてもよい。また、ターゲット枠の大きさを任意に拡縮できるようにしてもよい。
【０１０１】
また、上述した実施の形態では、本発明をデジタルカメラに適用した場合を例に説明したが、本発明の適用は、これに限定されるものではなく、撮影機能を備えた携帯電話機やデジタルビデオカメラ等にも同様に適用することができる。
【０１０２】
さらに、上述した実施の形態では、撮影ボタン２４の半押しでスピーカ３５から出力する音声を母体音としているが、出力する音声はこれに限定されるものではない。なお、子供の注意を引き付けやすい音声が好ましい。
【０１０３】
また、複数の音声ファイルをＥＥＰＲＯＭ１７に記録しておき、出力する音声をユーザが選択できるようにしてもよい。さらに、マイク３６を利用してユーザが自ら音声を記録し、このユーザが記録した音声を出力するようにしてもよい。
【図面の簡単な説明】
【０１０４】
【図１】本発明が適用されたデジタルカメラの構成を示すブロック図
【図２】子供撮影モード時のモニタの表示例を示す図
【図３】Ｙ−Ｙ’変換テーブルの説明図
【図４】肌色補正のブロック図
【図５】子供撮影モード時のモニタの表示例を示す図
【図６】子供撮影モード時のモニタの表示例を示す図
【符号の説明】
【０１０５】
１０…デジタルカメラ、１２…中央処理装置（ＣＰＵ）、１４…バス、１６…ＲＯＭ、１７…ＥＥＰＲＯＭ、１８…メモリ（ＳＤＲＡＭ）、２０…ＶＲＡＭ、２１…撮影／再生モード切替スイッチ、２２…撮影モード切替スイッチ、２４…撮影ボタン、２６…操作手段、２８…モニタ、３０…メディアソケット、３２…記録メディア、３４…メディアコントローラ、３５…スピーカ、３６…マイク、３８…カラーＣＣＤ固体撮像素子（ＣＣＤ）、４０…レンズユニット、４２…ズームレンズ駆動部、４４…フォーカスレンズ駆動部、４６…絞り駆動部、４７…フォーカス位置センサ、４８…ズーム位置センサ、５０…タイミングジェネレータ（ＴＧ）、５２…アナログ処理部（ＣＤＳ／ＡＭＰ）、５４…Ａ／Ｄ変換器、５６…画像入力コントローラ、５８…画像信号処理回路、６０…ビデオエンコーダ、６２…ＡＦ検出回路、６４…ＡＥ／ＡＷＢ検出回路、６６…圧縮伸張処理回路、６８…タイマ
【図１】
2005094133.tif 000003
【図２】
2005094133.tif 000004
【図３】
2005094133.tif 000005
【図４】
2005094133.tif 000006
【図５】
2005094133.tif 000007
【図６】
2005094133.tif 000008